(57)【要約】【課題】左右の撮影情報を含んだ立体視画像を視認させる立体視画像表示装置において、左右の撮影情報を視認し易くする。【解決手段】左眼用撮影情報ＩＬと右眼用撮影情報ＩＲとが異なる撮影情報を含むか否かを判別する。左眼用撮影情報ＩＬと右眼用撮影情報ＩＲとが異なる撮影情報を含むとき、ユーザが異なる撮影情報を立体視画像Ｇ内の互いに離れた位置で視認するように、左眼用撮影情報ＩＬおよび右眼用撮影情報ＩＲの表示を制御する。【選択図】図４
2012254286.tif 000002
【特許請求の範囲】
【請求項１】
視差に対応する異なる２つの撮影方向から被写体を放射線撮影して得られた左眼用撮影画像および右眼用撮影画像に対し、前記左眼用撮影画像に該左眼用撮影画像を放射線撮影した際の撮影情報である左眼用撮影情報、前記右眼用撮影画像に該右眼用撮影画像を放射線撮影した際の撮影情報である右眼用撮影情報を併せて表示することにより、ユーザに前記左眼用撮影情報および前記右眼用撮影情報を含んだ立体視画像を視認させる表示部と、
前記左眼用撮影情報と前記右眼用撮影情報とが異なる撮影情報を含むか否かを判別する情報判別部と、
該情報判別部の判別に基づいて、前記左眼用撮影情報および前記右眼用撮影情報の表示を制御する情報表示制御部とを備え、
該情報表示制御部が、前記左眼用撮影情報と前記右眼用撮影情報とが異なる撮影情報を含むとき、前記ユーザが前記異なる撮影情報を前記立体視画像内の互いに離れた位置で視認するように、前記左眼用撮影情報および前記右眼用撮影情報の表示を制御することを特徴とする立体視画像表示装置。
【請求項２】
前記情報表示制御部が、前記左眼用撮影情報と前記右眼用撮影情報とが異なる撮影情報を含むとき、前記ユーザが前記左眼用撮影情報と前記右眼用撮影情報とを前記立体視画像内の互いに離れた位置で視認するように、前記左眼用撮影情報および前記右眼用撮影情報の表示を制御するものであることを特徴とする請求項１に記載の立体視画像表示装置。
【請求項３】
前記情報表示制御部が、前記ユーザが前記左眼用撮影情報および前記右眼用撮影情報を前記立体視画像内の前記被写体の像が表示されない位置で視認するように、前記左眼用撮影情報および前記右眼用撮影情報の表示を制御するものであることを特徴とする請求項１または２に記載の立体視画像表示装置。
【請求項４】
前記情報表示制御部が、前記左眼用撮影情報と前記右眼用撮影情報とが異なる撮影情報を含むとき、前記異なる撮影情報が互いに異なる色および/または大きさを有するように、前記左眼用撮影情報および前記右眼用撮影情報の表示を制御するものであることを特徴とする請求項１〜３のいずれか１項に記載の立体視画像表示装置。
【請求項５】
前記情報表示制御部が、前記左眼用撮影情報と前記右眼用撮影情報とが異なる撮影情報を含まないとき、前記左眼用撮影情報と前記右眼用撮影情報とが互いに前記視差を有するように、前記左眼用撮影情報および前記右眼用撮影情報の表示を制御するものであることを特徴とする請求項１〜４のいずれか１項に記載の立体視画像表示装置。
【請求項６】
視差に対応する異なる２つの撮影方向から被写体を放射線撮影して得られた左眼用撮影画像および右眼用撮影画像に対し、前記左眼用撮影画像に該左眼用撮影画像を放射線撮影した際の撮影情報である左眼用撮影情報、前記右眼用撮影画像に該右眼用撮影画像を放射線撮影した際の撮影情報である右眼用撮影情報を併せて表示することにより、ユーザに前記左眼用撮影情報および前記右眼用撮影情報を含んだ立体視画像を視認させる表示部を備えた立体視画像表示装置の動作方法であって、
前記左眼用撮影情報と前記右眼用撮影情報とが異なる撮影情報を含むか否かを判別し、
前記左眼用撮影情報と前記右眼用撮影情報とが異なる撮影情報を含むとき、前記ユーザが前記異なる撮影情報を前記立体視画像内の互いに離れた位置で視認するように、前記左眼用撮影情報および前記右眼用撮影情報の表示を制御することを特徴とする立体視画像表示装置の動作方法。
【発明の詳細な説明】
【技術分野】
【０００１】
本発明は、視差を有する左眼用撮影画像および右眼用撮影画像を表示してユーザに立体視画像を視認させる立体視画像表示装置およびその動作方法に関する。より詳しくは、これらの左眼用撮影画像および右眼用撮影画像に撮影情報を併せて表示してユーザに撮影情報を含んだ立体視画像を視認させる立体視画像表示装置およびその動作方法に関する。
【背景技術】
【０００２】
近年では、被写体に対して視差に対応する異なる２つの撮影方向から放射線を照射し、その被写体を透過した放射線を検出して視差を有する左眼用撮影画像および右眼用撮影画像をそれぞれ取得し（以下、ステレオ撮影という）、これらの左眼用撮影画像および右眼用撮影画像を表示することにより、ユーザに立体視画像を視認させることが行われている。そして、その結果、ユーザが奥行感を有しながら診断を行うことが可能になる。
【０００３】
また、診断中のユーザが観察している放射線画像の撮影情報を容易に把握できるように、放射線の照射時間等の種々の撮影情報を放射線画像と併せて表示することも行われている（特許文献１参照）。
【先行技術文献】
【特許文献】
【０００４】
【特許文献１】特開２０１０−２７９５１６号公報
【発明の概要】
【発明が解決しようとする課題】
【０００５】
しかしながら、上記のステレオ撮影で取得した左眼用撮影画像および右眼用撮影画像に各撮影情報を放射線画像と併せて表示しようとすると、被曝量を低減させるため等の理由によって左眼用撮影画像の撮影情報である左眼用撮影情報と右眼用撮影画像の撮影情報である右眼用撮影情報とが必ずしも同じであるとは限らず、各撮影情報を各放射線画像の所定位置に一律に併せて表示してしまうと、ユーザが異なる撮影情報が重なり合っている状態を視認することになり、各撮影情報を上手く視認できない虞がある。
【０００６】
また、ユーザが左眼用撮影情報と右眼用撮影情報とを常に離れて認識するように、各撮影情報を撮影画像毎のそれぞれの所定位置に一律に併せて表示してしまうと、ユーザは同じ情報が含まれているにも関わらず、常に多くの撮影情報を視認することなり、やはり撮影情報を上手く視認できない虞がある。
【０００７】
本発明の目的は、上記事情に鑑み、ユーザに立体視画像を視認させる際、各撮影情報を視認し易くできる立体視画像表示装置およびその動作方法を提供することである。
【課題を解決するための手段】
【０００８】
上記の課題を解決するために、本発明の立体視画像表示装置は、視差に対応する異なる２つの撮影方向から被写体を放射線撮影して得られた左眼用撮影画像および右眼用撮影画像に対し、左眼用撮影画像に左眼用撮影画像を放射線撮影した際の撮影情報である左眼用撮影情報、右眼用撮影画像に右眼用撮影画像を放射線撮影した際の撮影情報である右眼用撮影情報を併せて表示することにより、ユーザに左眼用撮影情報および右眼用撮影情報を含んだ立体視画像を視認させる表示部と、左眼用撮影情報と右眼用撮影情報とが異なる撮影情報を含むか否かを判別する情報判別部と、情報判別部の判別に基づいて、左眼用撮影情報および右眼用撮影情報の表示を制御する情報表示制御部とを備え、情報表示制御部が、左眼用撮影情報と右眼用撮影情報とが異なる撮影情報を含むとき、ユーザが異なる撮影情報を立体視画像内の互いに離れた位置で視認するように、左眼用撮影情報および右眼用撮影情報の表示を制御することを特徴とする。
【０００９】
本発明の立体視画像表示装置の動作方法は、視差に対応する異なる２つの撮影方向から被写体を放射線撮影して得られた左眼用撮影画像および右眼用撮影画像に対し、左眼用撮影画像に左眼用撮影画像を放射線撮影した際の撮影情報である左眼用撮影情報、右眼用撮影画像に右眼用撮影画像を放射線撮影した際の撮影情報である右眼用撮影情報を併せて表示することにより、ユーザに左眼用撮影情報および右眼用撮影情報を含んだ立体視画像を視認させる表示部を備えた立体視画像表示装置の動作方法であって、左眼用撮影情報と右眼用撮影情報とが異なる撮影情報を含むか否かを判別し、左眼用撮影情報と右眼用撮影情報とが異なる撮影情報を含むとき、ユーザが異なる撮影情報を立体視画像内の互いに離れた位置で視認するように、左眼用撮影情報および右眼用撮影情報の表示を制御することを特徴とする。
【００１０】
ここで、本発明の立体視画像表示装置およびその動作方法における「撮影情報」とは、被写体に関する情報および撮影条件を意味するものであり、たとえば、患者ＩＤ、撮影部位、撮影日時、放射線発生条件である管電流、照射時間、管電圧または照射線量等を意味する。また、上記「併せて表示」とは、左眼用撮影画像および右眼用撮影画像の各撮影画像内に左眼用撮影情報および右眼用撮影情報をそれぞれ重ね併せて表示することを意味する。
【００１１】
また、上記「立体視画像」とは、左眼用撮影画像のみをユーザの左眼、右眼用撮影画像のみをユーザの右眼に入射させることにより、ユーザが脳内で合成した画像を意味する。上記「異なる撮影情報」とは、左眼用撮影情報および右眼用撮影情報の中で異なる内容を有する情報を意味する。上記「互いに離れた」とは、立体視画像内で左眼用撮影情報と右眼用撮影情報とが少なくとも重複部分を有さない程度以上に離れていることを意味する
【００１２】
また、本発明の立体視画像表示装置は、情報表示制御部が、左眼用撮影情報と右眼用撮影情報とが異なる撮影情報を含むとき、ユーザが左眼用撮影情報と右眼用撮影情報とを立体視画像内の互いに離れた位置で視認するように、左眼用撮影情報および右眼用撮影情報の表示を制御するものであってもよい。
【００１３】
また、本発明の立体視画像表示装置は、情報表示制御部が、ユーザが左眼用撮影情報および右眼用撮影情報を立体視画像内の被写体の像が表示されない位置で視認するように、左眼用撮影情報および右眼用撮影情報の表示を制御するものであってもよい。ここで、本発明の立体視画像表示装置における「立体視画像内の被写体の像」とは、立体視画像の中で被写体部分の画像を意味する。
【００１４】
また、本発明の立体視画像表示装置は、情報表示制御部が、左眼用撮影情報と右眼用撮影情報とが異なる撮影情報を含むとき、異なる撮影情報が互いに異なる色および/または大きさを有するように、左眼用撮影情報および右眼用撮影情報の表示を制御するものであってもよい。
【００１５】
また、本発明の立体視画像表示装置は、情報表示制御部が、左眼用撮影情報と右眼用撮影情報とが異なる撮影情報を含まないとき、左眼用撮影情報と右眼用撮影情報とが互いに視差を有するように、左眼用撮影情報および右眼用撮影情報の表示を制御するものであってもよい。
【発明の効果】
【００１６】
本発明の立体視画像表示装置およびその動作方法によれば、左眼用撮影情報と右眼用撮影情報とが異なる撮影情報を含むか否かを判別し、左眼用撮影情報と右眼用撮影情報とが異なる撮影情報を含むとき、ユーザが異なる撮影情報を立体視画像内の互いに離れた位置で視認するように、左眼用撮影情報および右眼用撮影情報の表示を制御するため、ユーザが異なる撮影情報が重なり合っている状態を視認することを回避でき、各撮影情報を視認し易くできる。
【００１７】
また、本発明の立体視画像表示装置によれば、左眼用撮影情報と右眼用撮影情報とが異なる撮影情報を含むとき、ユーザが左眼用撮影情報と右眼用撮影情報とを立体視画像内の互いに離れた位置で視認するように、左眼用撮影情報および右眼用撮影情報の表示を制御するため、ユーザが異なる撮影情報が含まれることを容易に認識でき、各撮影情報を視認し易くできる。
【００１８】
また、本発明の立体視画像表示装置によれば、ユーザが左眼用撮影情報および右眼用撮影情報を立体視画像内の被写体の像が表示されない位置で視認するように、左眼用撮影情報および右眼用撮影情報の表示を制御するため、ユーザが被写体の像と重なっている撮影情報を視認することを回避でき、各撮影情報を視認し易くできる。
【００１９】
本発明の立体視画像表示装置によれば、左眼用撮影情報と右眼用撮影情報とが異なる撮影情報を含むとき、異なる撮影情報が互いに異なる色および/または大きさを有するように、左眼用撮影情報および右眼用撮影情報の表示を制御するため、ユーザが異なる撮影情報を容易に確認でき、各撮影情報を視認し易くできる。
【００２０】
本発明の立体視画像表示装置によれば、左眼用撮影情報と右眼用撮影情報とが異なる撮影情報を含まないとき、左眼用撮影情報と右眼用撮影情報とが互いに視差を有するように、左眼用撮影情報および右眼用撮影情報の表示を制御するため、ユーザが同一の撮影情報を立体的に確認でき、各撮影情報を視認し易くできる。
【図面の簡単な説明】
【００２１】
【図１】放射線撮影表示システムの概略構成図
【図２】放射線撮影装置の一部正面図
【図３】立体視画像表示装置の概略構成図（第１の実施形態）
【図４】立体視画像表示装置による撮影情報の表示を示す図（第１の実施形態）
【図５】立体視画像表示装置による一連の処理を示すフローチャート
【図６】立体視画像表示装置の概略構成図（第２の実施形態）
【図７】立体視画像表示装置による撮影情報の表示を示す図（第２の実施形態）
【発明を実施するための形態】
【００２２】
本発明に係る立体視画像表示装置の実施形態について図面を参照して説明する。図１は本発明の実施形態である立体視画像表示装置を用いた放射線撮影表示システムの概略構成図である。放射線撮影表示システム１は、図１に示すように、放射線撮影装置１０および立体視画像表示装置４０から構成されている。
【００２３】
放射線撮影表示システム１は、放射線撮影装置１０が被写体である乳房Ｍを所定の視差に対応する異なる２つの撮影方向から放射線撮影し、左眼用撮影画像ＧＬおよび右眼用撮影画像ＧＲを取得する。そして、立体視画像表示装置４０が、左眼用撮影画像ＧＬを撮影した際の撮影情報である左眼用撮影情報ＩＬおよび右眼用撮影画像ＧＲを撮影した際の撮影情報である右眼用撮影情報ＩＲを左眼用撮影画像ＧＬおよび右眼用撮影画像ＧＲにそれぞれ併せて表示することにより、ユーザに左眼用撮影情報ＩＬおよび右眼用撮影情報ＩＲを含んだ立体視画像Ｇを視認させるものである。
【００２４】
最初に、放射線撮影装置１０について説明する。放射線撮影装置１０は、乳房Ｍに互いに異なる２つの撮影方向から放射線を照射することでステレオ撮影を行い、乳房Ｍの左眼用撮影画像ＧＬおよび右眼用撮影画像ＧＲを取得し、これらの放射線画像データＤＬ，ＤＲを画像ファイルＧＦに格納して立体視画像表示装置４０に送信するものである。
【００２５】
放射線撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００２６】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２７】
撮影台１４の内部には、フラットパネルディテクタ等の放射線検出器１５と、放射線検出器１５からの電荷信号の読み出しを制御する検出器コントローラ３３とが備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等が設けられた回路基板等も備えられている。
【００２８】
また、撮影台１４はアーム部１３に対し回転可能に構成されているが、ステレオ撮影のときには基台１１に対してアーム部１３が回転した場合でも、撮影台１４の向きは基台１１に対し固定された向きにできる。
【００２９】
放射線検出器１５は、電荷信号の記録と読み出しを繰り返して行うことができるものであり、放射線の照射を直接受けて電荷を発生する、いわゆる直接型の放射線画像検出器を用いてもよいし、放射線を一旦可視光に変換し、その可視光を電気信号に変換する、いわゆる間接型の放射線画像の検出器を用いるようにしてもよい。
【００３０】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００３１】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００３２】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００３３】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線撮影装置１０の全体の制御を行うものである。制御部３０は、ステレオ撮影によって放射線検出器１５で検出された電荷信号に所定の信号処理を施した放射線画像データＤＬ，ＤＲを画像ファイルＧＦに格納するとともに、左眼用撮影情報ＩＬおよび右眼用撮影情報ＩＲを画像ファイルのヘッダに記述する。ここで、撮影情報とは、患者ＩＤ、撮影部位、撮影日時、各撮影角度θ、放射線発生条件（管電流（ｍＡ）、照射時間（ｍｓ）、管電圧（ｋＶ）等）または照射線量（ｍＡｓ）等である。そして、制御部３０は画像ファイルＧＦを立体視画像表示装置４０に送信する。
【００３４】
入力部３０ａは、たとえば、キーボードやマウス等のポインティングデバイスから構成されるものであり、ＣＣ（頭尾方向）や、ＭＬＯ（内外斜位方向）等の撮影種類や、ステレオ撮影における、アーム部１３が放射線検出器１５の検出面１５ａに垂直な方向に対してなす角度である撮影角度θを含む撮影条件の入力や撮影開始の入力を受け付けるものである。
【００３５】
図２は放射線撮影装置１０の一部正面図である。放射線撮影装置１０の作用について、図１および図２を用いて説明する。まず、撮影台１４の上に乳房Ｍが設置され、圧迫板１８により乳房Ｍを所定の圧力で圧迫する。
【００３６】
次に、入力部３０ａにおいて、撮影者による乳房Ｍの撮影指示が入力されて撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００３７】
制御部３０はステレオ撮影における互いに異なる２つの撮影角度θの組み合わせを読み出し、一方の撮影角度θの情報をアームコントローラ３１に出力する。本実施形態において、撮影角度θは、図２示すように時計回りを正方向、反時計回りを負方向とする。なお、本実施形態においては、撮影角度θ＝０°および＋４°が入力されたものとするが、特に限定されるものではないが、２つの撮影方向のなす角度が、視差に対応するように２°〜８°の範囲となるように、撮影角度θの組み合わせが入力されることが望ましい。
【００３８】
そして、アームコントローラ３１が、制御部３０から出力された撮影種類および撮影角度θ＝０°の情報を受け付け、アーム部１３が、図２に示すように、検出面１５ａに垂直となる制御信号を出力する。
【００３９】
そして、アームコントローラ３１から出力された制御信号に応じてアーム部１３が検出面１５ａに対して垂直である０°となる状態において、制御部３０は、放射線源コントローラ３２および検出器コントローラ３３に対して放射線の照射と右眼用撮影画像ＧＲの放射線画像データＤＲの読み出しを行うように制御信号を出力する。
【００４０】
この制御信号に応じて、放射線源１７が放射線を照射し、放射線検出器１５が照射された放射線を検出し、検出器コントローラ３３によって放射線検出器１５から電荷信号が読み出される。制御部３０が、この電荷信号に所定の信号処理を施して右眼用撮影画像ＧＲの放射線画像データＤＲを記憶する。
【００４１】
次に、アームコントローラ３１が、制御部３０から出力された撮影角度θ＝＋４°の情報に基づき、アーム部１３が、図２に示すように、検出面１５ａに垂直な方向に対して＋４°傾くような制御信号を出力する。
【００４２】
そして、アームコントローラ３１から出力された制御信号に応じてアーム部１３が検出面１５ａに対して＋４°傾いた状態において、制御部３０は、放射線源コントローラ３２および検出器コントローラ３３に対して放射線の照射と左眼用撮影画像ＧＬの放射線画像データＤＬの読み出しを行うように制御信号を出力する。
【００４３】
この制御信号に応じて、放射線源１７が放射線を照射し、放射線検出器１５が照射された放射線を検出し、検出器コントローラ３３によって放射線検出器１５から電荷信号が読み出される。制御部３０は、この電気信号に所定の信号処理を施して左眼用撮影画像ＧＬの放射線画像データＤＬを記憶する。制御部３０は、乳房Ｍの右眼用撮影画像ＧＲおよび左眼用撮影画像ＧＬのそれぞれの放射線画像データＤＬ，ＤＲを画像ファイルＧＦに格納するとともに、画像ファイルＧＦのヘッダに左眼用撮影情報ＩＬおよび右眼用撮影情報ＩＲを記述して立体視画像表示装置４０に送信する。
【００４４】
なお、本実施形態では、撮影角度θ＝０°で右眼用画像ＧＲの放射線画像データＤＲ、撮影角度θ＝＋４°で左眼用画像ＧＬの放射線画像データＤＬの順でそれぞれ読み出して記憶をするものであるが、特に限定されるものではない。すなわち撮影角度θ＝０°で左眼用画像ＧＬの放射線画像データＤＬ、撮影角度θ＝＋４°で右眼用画像ＧＲの放射線画像データＤＲの順でそれぞれ読み出して記憶してもよい。
【００４５】
次に立体視画像表示装置４０について説明する。図３は、本発明の第１の実施形態である立体視画像表示装置の概略構成図である。立体視画像表示装置４０は、図３に示すように、モニタ４１、立体視眼鏡４２、入力部４３およびコンピュータ４４とから構成されている。
【００４６】
立体視画像表示装置４０は、左眼用撮影画像ＧＬに左眼用撮影情報ＩＬ、右眼用撮影画像ＧＲに右眼用撮影情報ＩＲをそれぞれ併せて表示することにより、ユーザに左眼用撮影情報ＩＬ，および右眼用撮影情報ＩＲを含んだ立体視画像Ｇを視認させるものである。
【００４７】
モニタ４１は、左眼用撮影情報ＩＬを併せた左眼用撮影画像ＧＬまたは右眼用撮影情報ＩＲを併せた右眼用撮影画像ＧＬの両方が互いに視差を有するように、フレーム・シーケンシャル方式、すなわち左眼用撮影画像ＧＬ、右眼用撮影画像ＧＲ、左眼用撮影画像ＧＬ、右眼用撮影画像ＧＲ・・・というように、たとえば、数十ｍｓｅｃ程度の周期で切り替えて表示するものである。なお、モニタ４１は、必要に応じてモニタ画面４１１に撮影条件や、診断レポート等も表示できる。
【００４８】
立体視眼鏡４２は、左眼用部分４２１および右眼用部分４２２に、互いに独立して開閉する液晶シャッタを有している。これらの液晶シャッタは、コンピュータ４４によって左眼用撮影画像ＧＬの表示中は左眼用部分４２１が開で右眼用部分４２２が閉、右眼用撮影画像ＧＲの表示中は左眼用部分４２１が閉で右眼用部分４２２が開となるように、前述の左眼用撮影画像ＧＬと右眼用撮影画像ＧＲとの切り替えに同期して開閉制御される。これにより、ユーザの左眼には左眼用撮影情報ＩＬを含んだ左眼用撮影画像ＧＬのみ、右眼用には左眼用撮影情報ＩＬを含んだ左眼用撮影画像ＧＬのみが入射し、ユーザがこれらの画像を脳内で合成して立体視画像Ｇを視認する。
【００４９】
入力部４３は、キーボード、マウス等のポインティングデバイスから構成されるものであり、表示開始、表示終了、表示条件に関するユーザからの指示を受け付けるものである。
【００５０】
コンピュータ４４には、本実施形態による立体視画像表示装置４０として機能させるためのプログラムがインストールされている。コンピュータ４４は、中央処理装置（ＣＰＵ）および半導体メモリやハードディスクやＳＳＤ等のストレージデバイス等を備えており、これらのハードウェアにより、制御部４４１、画像データ記憶部４４２、表示制御部４４３、情報判別部４４４および情報表示制御部４４５を構成している。
【００５１】
制御部４４１は、放射線撮影装置１０から画像ファイルＧＦを受信するとともに、コンピュータ４４の全体を制御するものである。画像データ記憶部４４２は、受信した画像ファイルＧＦを記憶するものである。表示制御部４４３は、画像データ記憶部４４２から表示させる右眼用撮影画像ＧＲおよび左眼用撮影画像ＧＬの放射線画像データＤＬ，ＤＲが格納されている画像ファイルＧＦを読み出して、これらの放射線画像データＤＬ，ＤＲに基づいて、右眼用撮影画像ＧＲおよび左眼用撮影画像ＧＬを前述のフレーム・シーケンシャル方式で表示するよう、モニタ４１を制御するものである。
【００５２】
情報判別部４４４は、表示制御部４４３が読み出した画像ファイルＧＦのヘッダを参照し、左眼用撮影情報ＩＬおよび右眼用撮影情報ＩＲが異なる内容の情報が含まれるか否かを判別するものである。そして、情報判別部４４４は、たとえば、管電流（ｍＡ）、照射時間（ｍｓｅｃ）、管電圧（ｋＶ）または照射線量（ｍＡｓ）等の撮影条件の各値が異なるとき、左眼用撮影情報ＩＬおよび右眼用撮影情報ＩＲが異なる撮影情報を含んでいると判別する。
【００５３】
情報判別部４４４は、左眼用撮影情報ＩＬおよび右眼用撮影情報ＩＲの中の全ての内容を判別することもできるが、ユーザが設定した情報のみを判別することもできる。なお、本実施形態では、左眼用撮影情報ＩＬおよび右眼用撮影情報ＩＲは、患者ＩＤおよび照射線量（ｍＡｓ）によって構成され、情報判別部４４４が、左眼用撮影情報ＩＬおよび右眼用撮影情報ＩＲにおいて、これらの内容が異なるか否かを判別しているが、特に限定されるものではない。
【００５４】
情報表示制御部４４５は、情報判別部４４４の判別結果に基づいて、左眼用撮影情報ＩＬおよび右眼用撮影情報ＩＲの表示を制御するものである。図４は、左眼用撮影情報ＩＬおよび右眼用撮影情報ＩＲの表示を示す図である。なお、図４においては、理解を容易にするため、モニタ画面４１１、左眼用撮影情報ＩＬを併せた左眼用撮影画像ＧＬおよび右眼用撮影情報ＩＲを併せた右眼用撮影画像ＧＲのみを図示し、他の構成の図示を省略している。
【００５５】
情報表示制御部４４５は、左眼用撮影情報ＩＬおよび右眼用撮影情報ＩＲが異なる撮影情報を含まないとき、図４の上図に示すように、ユーザが左眼用撮影情報ＩＬおよび右眼用撮影情報ＩＲを立体視画像Ｇ内の同じ位置で視認するように、左眼用撮影情報ＩＬおよび右眼用撮影情報ＩＲが互いに重ね合わさる、左眼用撮影画像ＧＬおよび右眼用撮影画像ＧＲ内の位置に表示させる。
【００５６】
一方、情報表示制御部４４５は、左眼用撮影情報ＩＬおよび右眼用撮影情報ＩＲが異なる撮影情報を含むとき、図４の下図に示すように、同一の撮影情報である患者ＩＤについては、互いに重ね合わさる、左眼用撮影画像ＧＬおよび右眼用撮影画像ＧＲ内の位置に表示させ、異なる撮影情報である照射線量（ｍＡｓ）については、ユーザが立体視画像Ｇ内の異なる位置で視認するように、少なくとも重複部分を有さない程度以上に互いに離れた、左眼用撮影画像ＧＬおよび右眼用撮影画像ＧＲ内の位置に表示させる。また、異なる各撮影情報を表示する位置は、少なくとも重複部分を有さず、且つ左眼用撮影画像ＧＬおよび右眼用撮影画像ＧＲ内であれば、特に限定されるものではない。
【００５７】
また、情報表示制御部４４５は、異なる撮影情報が含くまれていることを容易に把握させるため、左眼用撮影情報ＩＬおよび右眼用撮影情報ＩＲが異なる撮影情報を含むとき、ユーザが立体視画像Ｇ内の異なる位置で左眼用撮影情報ＩＬおよび右眼用撮影情報ＩＲを視認するように、左眼用撮影情報ＩＬおよび右眼用撮影情報ＩＲの全体を少なくとも重複部分を有さない程度以上に互いに離した、左眼用撮影画像ＧＬおよび右眼用撮影画像ＧＲ内の位置に表示させることもできる。
【００５８】
また、情報表示制御部４４５は、乳房Ｍの像と重なった撮影情報の視認を回避するため、ユーザが左眼用撮影情報ＩＬおよび右眼用撮影情報ＩＲを立体視画像Ｇ内の乳房Ｍの像が表示されない位置で視認できるように、左眼用撮影情報ＩＬおよび右眼用撮影情報ＩＲを左眼用撮影画像ＧＬおよび右眼用撮影画像ＧＲ内の乳房Ｍの画像以外の部分、すなわち乳房Ｍを透過することなく放射線が直接照射された部分に表示させることもできる。
【００５９】
また、情報表示制御部４４５は、異なる撮影情報を容易に確認させるため、左眼用撮影情報ＩＬおよび右眼用撮影情報ＩＲが異なる撮影情報を含むとき、異なる撮影情報の表示色および大きさ、あるいは表示色と大きさのいずれかを互いに異ならせて左眼用撮影情報ＩＬおよび右眼用撮影情報ＩＲを左眼用撮影画像ＧＬおよび右眼用撮影画像ＧＲ内に表示させることもできる。
【００６０】
また、情報表示制御部４４５は、同一の撮影情報を立体的に確認させるため、左眼用撮影情報ＩＬおよび右眼用撮影情報ＩＲが異なる撮影情報を含まないとき、左眼用撮影情報ＩＬと右眼用撮影情報ＩＲとが互いに視差を有するように、左眼用撮影情報ＩＬおよび右眼用撮影情報ＩＲを視差が生じる程度に互いに離して左眼用撮影画像ＧＬおよび右眼用撮影画像ＧＲ内に表示させることもできる。
【００６１】
また、情報表示制御部４４５は、左眼用撮影情報ＩＬおよび右眼用撮影情報ＩＲが異なる撮影情報を含むとき、同一の撮影情報のみが互いに視差を有するように、左眼用撮影情報ＩＬおよび右眼用撮影情報ＩＲにおける同一の撮影情報のみを視差が生じる程度に離して左眼用撮影画像ＧＬおよび右眼用撮影画像ＧＲ内に表示させることもできる。
【００６２】
立体視画像表示装置４０の作用について説明する。図５は立体視画像表示装置４０による一連の処理を示すフローチャートである。制御部４４１が放射線撮影装置１０から画像ファイルを受信して画像データ記憶部４４２がこれを記憶する（ＳＴ１）。
【００６３】
入力部４３が表示開始の指示を受け付けると（ＳＴ３）、表示制御部４４３が画像データ記憶部４４２から画像ファイルＧＦを読み出して左眼用撮影画像ＧＬおよび右眼用撮影画像ＧＲを表示する。情報判別部４４４が、画像ファイルＧＦのヘッダに記載された左眼用撮影情報ＩＬおよび右眼用撮影情報ＩＲを参照し、左眼用撮影情報ＩＬと右眼用撮影情報ＩＲとが異なる撮影情報を含むか否かを判別する（ＳＴ４）。
【００６４】
そして、異なる撮影情報が含まれないとき、情報表示制御部４４５が、ユーザが異なる撮影情報を立体視画像Ｇ内の同じ位置で視認するように、左眼用撮影情報ＩＬおよび右眼用撮影情報ＩＲを左眼用撮影画像ＧＬおよび右眼用撮影画像ＧＲ内に表示させる（ＳＴ５）。そして、異なる撮影情報が含まれるとき、情報表示制御部４４５が、ユーザが異なる撮影情報を立体視画像Ｇ内の離れた位置で視認するように、左眼用撮影情報ＩＬおよび右眼用撮影情報ＩＲを左眼用撮影画像ＧＬおよび右眼用撮影画像ＧＲ内に表示させる（ＳＴ６）。入力部４３が、表示終了の指示を受け付けると（ＳＴ９）、処理が終了する。
【００６５】
次に立体視画像表示装置の第２の実施形態について説明する。第２の実施形態は、左眼用撮影画像ＧＬおよび右眼用撮影画像ＧＲを偏光フィルタ方式で表示する点において第１の実施形態と相違する。したがって、第１の実施形態と異なる内容について主に説明する。図６は立体視画像表示装置の第２の実施形態の概略構成図である。
【００６６】
第２の実施形態におけるモニタ４１は、上下方向に隣接した２つのモニタ画面４１２，４１３、モニタ画面４１２，４１３の間に設けられたハーフミラー４１４およびモニタ画面４１２，４１３のなす角度αを可変にするヒンジ機構４１５を備えている。
【００６７】
モニタ画面４１２，４１３は、左眼用撮影情報ＩＬを併せた左眼用撮影画像ＧＬおよび右眼用撮影情報ＩＲを併せた右眼用撮影画像ＧＲを互いに直交する偏光によって表示するものである。ヒンジ機構４１５は、モニタ画面４１２をモニタ画面４１３に対して図６の矢印方向に回転させることにより、２つのモニタ画面４１２，４１３のなす角度αを調整する。ハーフミラー４１４は、モニタ画面４１２をモニタ画面４１３に対して傾けることにより、モニタ画面４１２の表示光を図中実線で示すように反射させるとともに、モニタ画面４１３の表示光を図中破線で示すように透過させ、右眼用撮影画像ＧＲと左眼用撮影画像ＧＬとを所定の視差を有するように重ね合わせて光学的に結合する。
【００６８】
立体視眼鏡４２は、左眼用部分４２１および右眼用部分４２２に、左眼用撮影画像ＧＬのみを透過させる左眼用偏光レンズと右眼用撮影画像ＧＲのみを透過させる右眼用偏光レンズを有している。これにより、ユーザは、左眼用撮影画像ＧＬおよび右眼用撮影画像ＧＲを左右各眼に入射させ、左眼用撮影画像ＧＬおよび右眼用撮影画像ＧＲを脳内で合成して立体視画像Ｇの立体視を行う。なお、本実施形態では、モニタ画面４１１が右眼用撮影画像ＧＲ、モニタ画面４１２が左眼用撮影画像ＧＬを表示するものであるが、特に限定されるものではない。
【００６９】
入力部４３、制御部４４１、画像データ記憶部４４２および情報判別部４４４については、第１の実施形態と同様であり、その説明を省略する。
【００７０】
表示制御部４４３は、画像データ記憶部４４２から表示させる右眼用撮影画像ＧＲおよび左眼用撮影画像ＧＬの放射線画像データが格納されている画像ファイルを読み出して、左眼用撮影画像ＧＬおよび右眼用撮影画像ＧＲが鏡像関係を有するようにモニタ画面４１２，４１３にそれぞれ表示させる。
【００７１】
情報表示制御部４４５は、第１の実施形態と同様に、情報判別部４４４の判別結果に基づいて、左眼用撮影情報ＩＬおよび右眼用撮影情報ＩＲの表示を制御するものである。図７は、左眼用撮影情報ＩＬおよび右眼用撮影情報ＩＲの表示を示す図である。なお、図７においては、理解を容易にするため、モニタ画面４１２、モニタ画面４１３およびハーフミラー４１４、左眼用撮影情報ＩＬを併せた左眼用撮影画像ＧＬおよび右眼用撮影情報ＩＲを併せた右眼用撮影画像ＧＲのみを図示し、他の構成の図示を省略している。
【００７２】
情報表示制御部４４５は、左眼用撮影情報ＩＬおよび右眼用撮影情報ＩＲが異なる撮影情報を含まないとき、図７の上図に示すように、ユーザが左眼用撮影情報ＩＬおよび右眼用撮影情報ＩＲを立体視画像Ｇ内の同じ位置で視認するように、左眼用撮影情報ＩＬおよび右眼用撮影情報ＩＲがハーフミラー４１４上で互いに重なり合う、左眼用撮影画像ＧＬおよび右眼用撮影画像ＧＲ内の位置で鏡像関係にして表示させる。
【００７３】
そして、情報表示制御部４４５は、左眼用撮影情報ＩＬおよび右眼用撮影情報ＩＲが異なる撮影情報を含むとき、図７の下図に示すように、同一の撮影情報である患者ＩＤについては、各患者ＩＤがハーフミラー４１４上で重なり合う、左眼用撮影画像ＧＬおよび右眼用撮影画像ＧＲ内の位置で鏡像関係にして表示させる。そして、異なる撮影情報である照射線量（ｍＡｓ）については、ユーザが立体視画像Ｇ内の離れた位置で視認するように、ハーフミラー４１４上で少なくとも重複部分を有さない程度に互いに離れた、左眼用撮影画像ＧＬおよび右眼用撮影画像ＧＲ内の位置で鏡像関係にして表示させる。
第２の実施形態における情報表示制御部４４５は、上記の点において、第１の実施形態における情報表示制御部と異なり、他の内容については、第１の実施形態における情報表示制御部４４５と同様である。第２の実施形態における立体視画像表示装置４０の作用については、第１の実施形態と同様であり、その説明を省略する。
【００７４】
上記の実施形態によれば、情報判別部４４４が、左眼用撮影情報ＩＬと右眼用撮影情報ＩＲとが異なる撮影情報を含むか否かを判別し、異なる撮影情報を含むとき、情報表示制御部４４５が、ユーザが異なる撮影情報を立体視画像Ｇ内の互いに離れた位置で視認するように、左眼用撮影情報ＩＬおよび右眼用撮影情報ＩＲが互いに重複部分を有さない程度以上に離して左眼用撮影画像ＧＬおよび右眼用撮影画像ＧＲ内に表示させるため、異なる撮影情報が重なっている視認されることを回避でき、各撮影情報を視認し易くできる。
【００７５】
また、上記の実施形態によれば、異なる撮影情報が含まれるとき、ユーザが左眼用撮影情報ＩＬと右眼用撮影情報ＩＲとを立体視画像Ｇ内の互いに離れた位置で視認するように、左眼用撮影情報ＩＬおよび右眼用撮影情報ＩＲが互いに重複部分を有さない程度以上に離した、左眼用撮影画像ＧＬおよび右眼用撮影画像ＧＲ内の位置に表示させるため、異なる撮影情報が含まれることを容易に認識でき、各撮影情報を視認し易くできる。
【００７６】
また、上記の実施形態によれば、左眼用撮影情報ＩＬおよび右眼用撮影情報ＩＲを立体視画像Ｇ内の乳房Ｍの像から離れた位置で視認するように、左眼用撮影情報ＩＬおよび右眼用撮影情報ＩＲを左眼用撮影画像ＧＬおよび右眼用撮影画像ＧＲ内の放射線が直接照射された部分に表示させるため、乳房Ｍの像と重なった左眼用撮影情報ＩＬおよび右眼用撮影情報ＩＲの視認を回避でき、各撮影情報を視認し易くできる。
【００７７】
また、上記の実施形態によれば、異なる撮影情報が含まれるとき、異なる撮影情報の表示色および/または表示する大きさを異ならせて左眼用撮影情報ＩＬおよび右眼用撮影情報ＩＲを左眼用撮影画像ＧＬおよび右眼用撮影画像ＧＲ内に表示させるため、異なる撮影情報を容易に確認でき、各撮影情報を視認し易くできる。
【００７８】
また、上記の実施形態によれば、異なる撮影情報が含まれないとき、左眼用撮影情報ＩＬと右眼用撮影情報ＩＲとが互いに視差を有するように、左眼用撮影情報ＩＬおよび右眼用撮影情報ＩＲが視差を生じる程度に離して左眼用撮影画像ＧＬおよび右眼用撮影画像ＧＲ内に表示させるため、撮影情報を立体的に確認でき、各撮影情報を視認し易くできる。
【００７９】
なお、上記の実施形態においては、表示制御部４４３と情報表示制御部４４５と別々であるものとして説明したが、表示制御部４４３が情報表示制御部４４５を兼ねているものであってもよい。
【００８０】
なお、上記の実施形態においては、左眼用撮影画像ＧＬおよび右眼用撮影画像ＧＲを表示した後に、左眼用撮影情報ＩＬおよび右眼用撮影情報ＩＲを表示するものとして説明したが、左眼用撮影画像ＧＬに左眼用撮影情報ＩＬ、右眼用撮影画像ＧＲに右眼用撮影情報ＩＲを併せてこれらを同時に表示するものであってもよい。
【００８１】
なお、立体視画像表示装置４０は、上記の構成に限定されるものではなく、公知のパララックスバリア方式およびレンチキュラー方式による構成であってもよい。また、被写体は、乳房Ｍに限定されるものでなく、頭部、頸部、胸部、複部、脚部、肺または胃等であってもよい。
【符号の説明】
【００８２】
Ｇ      立体視画像
ＧＬ    左眼用撮影画像
ＧＲ    右眼用撮影画像
ＩＬ    左眼用撮影情報
ＩＲ    右眼用撮影情報
Ｍ      乳房（被写体）
４０    立体視画像表示装置
４１    モニタ（表示部）
４４４  情報判別部
４４５  情報表示制御部
【図１】
2012254286.tif 000003
【図２】
2012254286.tif 000004
【図３】
2012254286.tif 000005
【図４】
2012254286.tif 000006
【図５】
2012254286.tif 000007
【図６】
2012254286.tif 000008
【図７】
2012254286.tif 000009